(57)【要約】【課題】従来の化粧品収納容器は充填された口紅が不良品であった場合にも口紅を取り外して皿部材の内部を掃除することが面倒で、化粧品収納容器ごと廃棄せねばならないので、皿部材だけを着脱可能とする。【解決手段】皿部材の係合ピンを第１の係合ピンと第１の係合ピンより下部に形成された第２の係合ピンとして形成し、皿部材が外筒部材で移動される最大突出位置では第２の係合ピンと螺旋溝との係合を解除することができず、ハカマ部材の底穴より押上ピンを挿入することなどによって皿部材を最大突出位置よりもさらに上部に位置させたときに皿部材の第１の係合ピンおよび第２の係合ピンと螺旋溝との係合を解除することができるようにする。【選択図】図１
2005224583.tif 000002
【特許請求の範囲】
【請求項１】
ハカマ部材と、このハカマ部材内に下端部が挿入固定され上部には軸心方向の切り割り溝が形成された筒状の内筒部材と、この内筒部材の切り割り溝の外周を回動可能に覆う内部に螺旋溝が形成され上端部に天穴が形成された外筒部材と、前記内筒部材内に上下移動可能に収納された皿部材と、この皿部材に形成された前記内筒部材の切り割り溝及び前記外筒部材の螺旋溝と係合する対面に２本形成された係合ピンとから構成される口紅等の化粧品収納容器において、外筒部材の螺旋溝は上端が開放され、皿部材の係合ピンを第１の係合ピンと第１の係合ピンより下部に形成された第２の係合ピンとして形成し、皿部材の第１の係合ピンおよび第２の係合ピンと対応する部位を第１の係合ピンおよび第２の係合ピンが外筒部材の天穴を通過可能とする寸法まで縮径とし、皿部材が外筒部材で移動される最大突出位置ではすくなくとも第２の係合ピンと螺旋溝との係合を解除することができず、ハカマ部材の底穴より押上ピンを挿入することなどによって皿部材を最大突出位置よりもさらに上部に位置させたときに皿部材の第１の係合ピンおよび第２の係合ピンと螺旋溝との係合を解除することができ、化粧品収納容器の上部より皿部材を着脱可能としたことを特徴とする口紅等の化粧品収納容器。
【請求項２】
ハカマ部材と、このハカマ部材内に下端部が挿入固定され上部には軸心方向の切り割り溝が形成された筒状の内筒部材と、この内筒部材の切り割り溝の外周を回動可能に覆う内部に螺旋溝が形成され上端部に天穴が形成された外筒部材と、前記内筒部材内に上下移動可能に収納された皿部材と、この皿部材に形成された前記内筒部材の切り割り溝及び前記外筒部材の螺旋溝と係合する対面に２本形成された係合ピンとから構成される口紅等の化粧品収納容器において、外筒部材の螺旋溝は上端が開放され、皿部材の係合ピンを第１の係合ピンと第１の係合ピンより下部に形成された第２の係合ピンとして形成し、皿部材の第１の係合ピンおよび第２の係合ピンが外筒部材の天穴を通過可能とし、皿部材が外筒部材で移動される最大突出位置ではすくなくとも第２の係合ピンと螺旋溝との係合を解除することができず、ハカマ部材の底穴より押上ピンを挿入することなどによって皿部材を最大突出位置よりもさらに上部に位置させたときに皿部材の第１の係合ピンおよび第２の係合ピンと螺旋溝との係合を解除することができ、化粧品収納容器の上部より皿部材を着脱可能としたことを特徴とする口紅等の化粧品収納容器。
【請求項３】
ハカマ部材と、このハカマ部材内に下端部が挿入固定され上部には軸心方向の切り割り溝が形成された筒状の内筒部材と、この内筒部材の切り割り溝の外周を回動可能に覆う内部に螺旋溝が形成され上端部に天穴が形成された外筒部材と、前記内筒部材内に上下移動可能に収納された皿部材と、この皿部材に形成された前記内筒部材の切り割り溝及び前記外筒部材の螺旋溝と係合する対面に２本形成された係合ピンとから構成される口紅等の化粧品収納容器において、皿部材の係合ピンを第１の係合ピンと第１の係合ピンより下部に形成された第２の係合ピンとして形成し、皿部材の第１の係合ピンおよび第２の係合ピンと対応する部位を第１の係合ピンおよび第２の係合ピンが外筒部材の天穴を通過可能とする寸法まで縮径とし、皿部材が外筒部材で移動される最大突出位置ではすくなくとも第２の係合ピンと螺旋溝との係合を解除することができず、ハカマ部材の底穴より押上ピンを挿入することなどによって皿部材を最大突出位置よりもさらに上部に位置させたときに皿部材の第１の係合ピンおよび第２の係合ピンと螺旋溝との係合を解除することができ、化粧品収納容器の上部より皿部材を着脱可能としたことを特徴とする口紅等の化粧品収納容器。
【発明の詳細な説明】
【技術分野】
【０００１】
本発明は、口紅などの棒状化粧品を収納する化粧品収納容器に関するものである。
【背景技術】
【０００２】
従来の化粧品収納容器は、ハカマ部材と、このハカマ部材内に下端部が挿入固定され上部には軸心方向の切り割り溝が形成された筒状の内筒部材と、この内筒部材の切り割り溝の外周を回動可能に覆う内部に螺旋溝が形成され上端部に天穴が形成された外筒部材と、前記内筒部材内に上下移動可能に収納された皿部材と、この皿部材に形成された前記内筒部材の切り割り溝及び前記外筒部材の螺旋溝と係合する対面に２本形成された係合ピンとで構成されている。
【０００３】
そしてこのように構成された化粧品収納容器には周知の方法で口紅が充填されるが、その充填方法には大きく分けて２通り有り、一つは外部で成形個化された口紅を皿部材の上部より皿部材へ差す方法であり、他は上部に紅形状を作るカプセルを嵌合させた化粧品収納容器あるいは皿部材を倒立させた後、皿部材の底穴よりカプセルおよび皿部材内部へ加熱溶融された口紅を直接流し込み皿部材内部で冷却個化させたのち、カプセルを取り外す方法である。
【０００４】
しかし、このように構成された従来の化粧品収納容器は充填された口紅が不良品であった場合にも口紅を取り外して皿部材の内部を掃除することが面倒で、高価な化粧品収納容器ごと廃棄せねばならず不経済であるという欠点があった。
【０００５】
以上のことから化粧品収納容器の口紅がセットされた皿部材だけを外して交換する、という考えもあるが、口紅の使用中に皿部材が外れてしまっては口紅が使用できなくなってしまうため本来は化粧品収納容器の皿部材は外すことができない構造となっている。その手段の一つとして、従来の化粧品収納容器では係合ピンの先端から皿部材の対面側の係合ピンの先端までの距離が外筒部材の天穴よりも大きい寸法に構成されている。そのため、係合ピンが外筒部材の天穴を通過できないものであった。その対策として外筒部材の天穴を大きくする、あるいは天穴の一部に係合ピンが通過できる切り欠きを設ければよいが、それではデザイン的に見苦しくなり、商品価値を下げてしまうものであった。
【０００６】
そこで皿部材だけを外して交換するためには、化粧品収納容器そのものを分解及び再組立する必要があったが、それには手間と高度な熟練が必要であり、さらには再組立された化粧品収納容器の品質にも問題を残すものであった。
【０００７】
この改善策として、出願人は特開平１１−１３７３３４号公報に記載される発明を出願している。この発明は化粧品収納容器を分解することなく皿部材だけを外して交換することができるものであるが、それであってもその構造上皿部材の係合ピンは一本でなければならず、そのため係合ピンが２本のものに比べて皿部材の上下移動が不安定となってしまうものであった。また皿部材をセットするときには係止片１９を口元より奥の挿入部２２に狙って合わせる必要があり、そのため皿部材のセットが煩雑で面倒になるものであった。さらに皿部材の下部は係合ピン支持部１６が必要になり、その係合ピン支持部１６に邪魔されて皿部材の下部に十分な大きさの充填穴を形成することができず、それによって加熱溶融された口紅を皿部材の底部より皿部材内部へ直接流し込み皿部材内部で冷却個化させるという充填方法が使用できないものであった。
【特許文献１】特開平１１−１３７３３４号公報
【発明の開示】
【発明が解決しようとする課題】
【０００８】
本発明は以上のような従来の欠点に鑑み、商品のデザインを犠牲にすることなく、誰でも簡単に、さらに品質に問題が発生することなく化粧品収納容器の上部より皿部材を着脱可能としたことを特徴とする口紅等の化粧品収納容器を提供することを目的としている。
【０００９】
本発明の前記ならびにそのほかの目的と新規な特徴は次の説明を添付図面と照らし合わせて読むと、より完全に明らかになるであろう。ただし、図面はもっぱら解説のためのものであって、本発明の範囲を限定するものではない。
【課題を解決するための手段】
【００１０】
上記課題を解決するため、本発明は化粧品収納容器の上部より皿部材を着脱可能とするものであり、その手段として皿部材の係合ピンを第１の係合ピンと第１の係合ピンより下部に形成された第２の係合ピンとして形成し、皿部材が外筒部材で移動される最大突出位置では第２の係合ピンと螺旋溝との係合を解除することができず、ハカマ部材の底穴より押上ピンを挿入することなどによって皿部材を最大突出位置よりもさらに上部に位置させたときに皿部材の第１の係合ピンおよび第２の係合ピンと螺旋溝との係合を解除することができることを最も主要な特徴とする。
【発明の効果】
【００１１】
本発明は以上説明したように構成されているので、以下に記載されるような効果を奏する。
【００１２】
（１）化粧品収納容器は充填された口紅が不良品であった場合にも口紅がセットされた皿部材だけを外して交換することが簡単である。
【００１３】
（２）外筒部材の天穴を大きくする、あるいは天穴の一部に係合ピンが通過できる切り欠きを付けるということがなく、デザイン的に見苦しくなったり、商品価値を下げてしまうことがない。
【００１４】
（３）化粧品収納容器そのものを分解及び再組立する必要がなく、手間や高度な熟練が必要ではなく、さらには化粧品収納容器の品質にも問題を残すことがない。
【００１５】
（４）係合ピンが２本とすることができるので係合ピンが１本のものより皿部材の上下動を安定させることができる。
【００１６】
（５）口紅の充填方法を選ばないので、どのような充填方法であっても良い。
【００１７】
（６）以上の効果より、高価な化粧品収納容器ごと廃棄することがなく経済的な化粧品収納容器とすることができる。
【発明を実施するための最良の形態】
【００１８】
ハカマ部材と、このハカマ部材内に下端部が挿入固定され上部には軸心方向の切り割り溝が形成された筒状の内筒部材と、この内筒部材の切り割り溝の外周を回動可能に覆う内部に螺旋溝が形成され上端部に天穴が形成された外筒部材と、前記内筒部材内に上下移動可能に収納された皿部材と、この皿部材に形成された前記内筒部材の切り割り溝及び前記外筒部材の螺旋溝と係合する対面に２本形成された係合ピンとから構成される口紅等の化粧品収納容器において、化粧品収納容器の上部より皿部材を着脱可能とするという目的を、皿部材の係合ピンを第１の係合ピンと第１の係合ピンより下部に形成された第２の係合ピンとして形成し、皿部材が外筒部材で移動される最大突出位置では第２の係合ピンと螺旋溝との係合を解除することができず、ハカマ部材の底穴より押上ピンを挿入することなどによって皿部材を最大突出位置よりもさらに上部に位置させたときに皿部材の第１の係合ピンおよび第２の係合ピンと螺旋溝との係合を解除することができることで実現した。
【実施例１】
【００１９】
以下、図面に示す実施例により本発明を詳細に説明する。
図１ないし図８に示す発明の第１の実施例において、１はハカマ部材でこのハカマ部材１の上部には蓋嵌合部２が形成され、内部には内筒部材３の下端部が挿入固定されている。さらにこのハカマ部材１には底穴１８を設けておくとよい。
【００２０】
内筒部材３は筒状に形成され上部には軸心方向の切り割り溝４が対面に形成されていて、さらに上部には外方へ広がるフランジ部５が形成されている。この切り割り溝４は少なくともフランジ部５まで達するものであればよいが、内筒部材３の上端部まで達するものとすることが望ましく、図の説明では内筒部材３の上端部まで達するものとしてある。
【００２１】
２８は前記内筒部材３の上部を回動可能に覆う外筒部材で、この外筒部材２８は外筒部材本体１２とラセン部材６によって構成されている。  
【００２２】
１２は外筒部材本体で、この外筒部材本体１２は筒状に形成され上端部に切り欠きなどのない円形の天穴１３が形成され、主に金属材が使用される。
【００２３】
６はラセン部材で、このラセン部材６は外筒部材本体１２内に一体的に固定され、前記内筒部材３の切り割り溝４の外周を回動可能に覆い、その内部にはラセン部材６の上端部まで達することで上部が開放された螺旋溝７が形成されている。この螺旋溝７の数は本説明では１本のものに付いて説明しているが、後記するように本数は増やすことができる。また、このラセン部材６は内筒部材３の上部に設けられたフランジ部５によって内筒部材３より抜け出し防止されている。
【００２４】
８は皿部材で、この皿部材８は前記内筒部材３内に上下移動可能に収納され、その内部には口紅などの棒状化粧品９を収納している。
【００２５】
１０は前記皿部材８に形成された前記内筒部材３の切り割り溝４及び前記ラセン部材６の螺旋溝７と係合する第１の係合ピンであり、さらに１１は第１の係合ピン１０と同様に前記皿部材８に形成された前記内筒部材３の切り割り溝４及び前記ラセン部材６の螺旋溝７と係合する第２の係合ピンで、この第２の係合ピン１１は皿部材８の第１の係合ピン１０の対面に形成され、さらに第１の係合ピン１０よりも下部に形成されている。本説明では螺旋溝７の数が１本なので第２の係合ピン１１はその１ピッチの半分だけ下部に形成し、螺旋溝７と係合できるようにしたものについて説明している。
【００２６】
さらに前記皿部材８の第１の係合ピン１０と対応する反対側の側面部位は縮径とするための第１縮径部１５が形成され、第１の係合ピン１０の先端から皿部材８の第１縮径部１５までの長さ（図８のＡ寸法）は外筒部材本体１２の天穴１３を通過可能な寸法、すなわち天穴１３の直径よりも小さいものに形成されている。同様に皿部材８の第２の係合ピン１１と対応する反対側の側面部位も縮径とするための第２縮径部１６が形成され、第２の係合ピン１１の先端から皿部材８の第２縮径部１６までの長さ（図８のＢ寸法）も外筒部材本体１２の天穴１３を通過可能なものに形成されている。このように皿部材８の下部を縮径とするが、その縮径とした寸法は外筒部材本体１２の天穴１３を通過できる程度で有ればよいので、皿部材８の下穴より皿部材８内部へ加熱溶融された口紅を直接流し込むのに十分な大きさの充填穴を形成することに影響のないものとすることができる。
【００２７】
前記内筒部材３の切り割り溝４の上部と下部には通常の口紅使用時に皿部材８の係合ピンが入り込む横溝１４が形成されていて、通常の口紅使用時に皿部材８の第１の係合ピン１０および第２の係合ピン１１はこの横溝１４間を移動しているが、本発明の皿部材８では第１の係合ピン１０および第２の係合ピン１１は上下にずれているので図６および図７に示すように上部と下部に形成された横溝１４もそれぞれ上下に２本設けるのがよい。このようにすると内筒部材３に皿部材８をセットする際に内筒部材３と皿部材８の第１の係合ピン１０および第２の係合ピン１１の向きを合わせる必要が無くなるものであるが、これは本発明においては必ずしも必要なことではない。
【００２８】
１７は前記ハカマ部材１に形成された蓋嵌合部と着脱自在に勘合する蓋である。
【００２９】
このように構成された化粧品収納容器１９は収納された棒状化粧品９を使用する際にはハカマ部材１と外筒部材２８を回動させることにより棒状化粧品９を外筒部材本体１２の天穴１３より出没させて使用することができる。通常の使用においては皿部材８の第１の係合ピン１０および第２の係合ピン１１は内筒部材３の切り割り溝４に設けられた上下の横溝１４の間をラセン部材６の回動によって移動することになるのですくなくとも第２の係合ピン１２は螺旋溝７と係合されているので、皿部材８の第２の係合ピン１１がラセン部材６で移動される最大突出位置、すなわち最上部位置では皿部材８を取り外すことができない。なお、最上部位置では第１の係合ピン１０はラセン部材６の上端部よりもさらに上まで達し螺旋溝７との係合が解除されていることもあるが、そのように構成しても良い。
【００３０】
皿部材８を交換する場合には、まず図３に示すようにハカマ部材１の底穴１８より押上ピン２０を挿入する、あるいは皿部材８をつかんで引っ張り出すなどして皿部材８を所定の最大突出位置よりもさらに上部に位置させることによって、皿部材８の第１の係合ピン１０および第２の係合ピン１１とラセン部材６の螺旋溝７との係合を解除することができる。
【００３１】
つぎに図４に示すように皿部材８を第１の係合ピン１０が外筒部材本体１２の天穴１３を通過できるように皿部材８を第２の係合ピン１１側に寄せるように位置させて（図４の説明では皿部材８を左に寄せて）、あるいは皿部材８の上部を第２の係合ピン１１側に傾けて第１の係合ピン１０が天穴１３を通過する。次に図５に示すように第２の係合ピン１１が天穴１３を通過できるように皿部材８を第１の係合ピン１０側に寄せるように位置させて（図５の説明では皿部材８を右に寄せて）、第２の係合ピン１１が天穴１３を通過して皿部材８を外すことができる。
【００３２】
この後で別の皿部材８をセットする際には、皿部材８を外したのと逆の工程を行うことで新しい皿部材８をセットすることができる。まず、第２の係合ピン１１を外筒部材本体１２の上部より天穴１３を通過させ内筒部材３の切り割り溝４へと導く。この時に内筒部材３の切り割り溝４の上端部は第２の係合ピン１１を導入しやすいように上方へ向かって広がっているものとするのがよい。その後で第１の係合ピン１０が天穴１３を通過し、皿部材８を軽く押し下げながら外筒部材１２を皿部材８を下げる方向に回転させれば、第２の係合ピン１１が螺旋溝７と係合し、次に第１の係合ピン１０も螺旋溝７と係合し新しい皿部材８のセットが完了する。
【実施例２】
【００３３】
次に本発明の異なる実施例につき説明する。なお、これらの説明にあたって前記発明の第１の実施例と同一構成部分には同一符号を付して重複する説明を省略する。
【００３４】
図９ないし図１５に示す発明の第２の実施例において、前記発明の第１の実施例と主に異なる点は、外筒部材２８Ａのラセン部材６Ａの螺旋溝７Ａで、この螺旋溝７Ａは２条螺旋としたもので、このように２条螺旋のラセン部材６Ａとすることで内筒部材３に皿部材８をセットする際に皿部材８の第１の係合ピン１０および第２の係合ピン１１と螺旋溝７Ａを係合させるのが楽になる。
【００３５】
先の実施例１の説明では螺旋溝７の数が１本なので第２の係合ピン１１はその１ピッチの半分だけ下部に形成して、螺旋溝７と係合できるようにしたものについて説明したが、実施例２では螺旋溝７Ａの数が２本なので第２の係合ピン１１はその１ピッチ分だけ下部に、あるいはそれ以上下部に形成したもので有ればよく、このように構成した化粧品収納容器１９Ａとしてもよい。
【実施例３】
【００３６】
図１６ないし図１８に示す発明の第３の実施例において、前記発明の第２の実施例と主に異なる点は、外筒部材２８Ｂのラセン部材６Ｂの螺旋溝７Ｂで、この螺旋溝７Ｂは６条螺旋としたもので、このように６条螺旋のラセン部材６Ｂとすることで内筒部材３に皿部材８をセットする際に皿部材８の第１の係合ピン１０および第２の係合ピン１１と螺旋溝７Ｂを係合させるのがより楽になるとともに、螺旋溝７Ｂのリード角を大きくとることができるようになる。それによってハカマ部材１と外筒部材２８の回動による棒状化粧品９の移動速度を速くすることができ、第１の係合ピン１０と第２の係合ピン１１の間の距離を自由にとれるようになる。以上の説明のようにこの螺旋溝７Ｂの条数は１条、２条、４条、６条、８条のようにいずれでも良く、さらに第１の係合ピン１０と第２の係合ピン１１の間の距離もどのようにするかは先の螺旋溝７Ｂの条数との関係で、化粧品収納容器１９を設計する際に決めるものである。このように構成した化粧品収納容器１９Ｂとしてもよい。
【実施例４】
【００３７】
図１９および図２０に示す発明の第４の実施例において、前記発明の第１の実施例と主に異なる点は、皿部材８Ｃでこの皿部材８Ｃは第１の係合ピン１０の根本側の皿部材８Ｃの側面に第１の振れ止め２１を設け、さらに第２の係合ピン１１の根本側の皿部材８Ｃの側面に第２の振れ止め２２を設け、さらに第１の係合ピン１０より上部の皿部材８Ｃの側面の第１の係合ピン１０と対応する位置に印２３を付けたものである。
【００３８】
この第１の振れ止め２１および第２の振れ止め２２は、それぞれ内筒部材３の内壁に近接する程度に設けられていて、このように第１の振れ止め２１および第２の振れ止め２２を設けることで、皿部材８Ｃに第１縮径部１５および第２縮径部１６が形成されていても皿部材８Ｃの上下動をより安定させることができる。
【００３９】
また、印２３は化粧品収納容器１９から皿部材８Ｃを外す際に役立つもので、通常の棒状化粧品９の使用時には外筒部材２８内にあって目視できない位置に形成するのが良く、皿部材８Ｃを所定の最大突出位置よりもさらに上部に位置させた時には、目視できるようになり、その印２３の位置を確認することで第１の係合ピン１０の向きを知ることができるものである。それによって第１の係合ピン１０が天穴１３を通過する際に皿部材８Ｃをどの方向に寄せればよいか知ることができるものである。このように構成した化粧品収納容器１９Ｃとしてもよい。
【実施例５】
【００４０】
図２１ないし図２３に示す発明の第５の実施例において、前記発明の第１の実施例と主に異なる点は外筒部材２８Ｄで、この外筒部材２８Ｄは内部に螺旋溝７が形成されさらに上端部に天穴１３が形成されてる。すなわち実施例１のラセン部材６と外筒部材本体１２を１部品として形成したものであり、螺旋溝７は外筒部材２８Ｄ内で上部が開放されている。このように構成することで部品数を少なくすることができるものであり、このように構成した化粧品収納容器１９Dとしてもよい。
【実施例６】
【００４１】
図２４および図２５に示す発明の第６の実施例において、前記発明の第１の実施例と主に異なる点は皿部材８Ｅで、この皿部材８Ｅは第１の係合ピン１０と第２の係合ピン１１が形成された皿部材本体２４と、この皿部材本体２４に係止され内部に棒状化粧品９を収納した保持皿２５とから形成されている。このように構成された化粧品収納容器１Ｅでは口紅９を充填する際には、化粧品収納容器１Ｅにセットする前の保持皿２５に内部が口紅形状に形成されたカプセル（図示せず）をその上部に嵌合させ、それを倒立させた後、加熱溶融された口紅を保持皿２５の底穴よりカプセル及び保持皿２５内へ流し込み、そのままカプセルおよび保持皿２５内部で冷却個化させ、その後保持皿２５下部を皿部材本体２４内に挿入し係止させることで充填が完了するものであり、このような皿部材８Ｅとすることで口紅を充填する際のいろいろな充填方法に対応させることができるようになり、このように構成した化粧品収納容器１９Ｅとしてもよい。
【実施例７】
【００４２】
図２６ないし図３０に示す発明の第７の実施例において、前記発明の第１の実施例と主に異なる点は皿部材８Ｆに第１の縮径部および第２の縮径部を設けないことと、外筒部材２８Ｆの天穴１３Ｆおよび内筒部材３Ｆである。この皿部材８Ｆは第１の係合ピン１０の先端から皿部材８Ｆの対面までの長さ（図３０のＡＦ寸法）、および第２の係合ピン１１の先端から皿部材８Ｆの対面までの長さ（図３０のＢＦ寸法）は縮径部が無くても外筒部材２８Ｆの天穴１３Ｆを通過可能となるような寸法に形成されている。すなわち発明の第１の実施例よりも天穴１３Ｆの直径と内筒部材３Ｆの上部内径を若干大きくしてあるもので、このように構成した化粧品収納容器１９Ｆとしてもよい。
【実施例８】
【００４３】
図３１ないし図３８に示す発明の第８の実施例において、前記発明の第１の実施例と主に異なる点は外筒部材２８Ｇのラセン部材６Ｇの螺旋溝７Ｇで、この螺旋溝７Ｇはラセン部材６Ｇの上端部まで達することがなく、上部が開放されたものではない。このような螺旋溝７Ｇを形成したラセン部材６Ｇを使用する場合にはラセン部材６Ｇを内筒部材３Ｇの上端部近くあるいは若干上部まで達するように形成する。さらに皿部材８Ｇの第１縮径部１５Ｇおよび第２縮径部１６Ｇも実施例１より大きくしておく、すなわち第１の係合ピン１０の先端から皿部材８Ｇの第１縮径部１５Ｇまでの長さ（図３８のＡＧ寸法）および第２の係合ピン１１の先端から皿部材８Ｇの第２縮径部１６Ｇまでの長さ（図３８のＢＧ寸法）が実施例１よりも小さいものとするように設定する。このように構成された化粧品収納容器１９Ｇは皿部材８を交換する場合には、ハカマ部材１の底穴より押上ピン２０を挿入して皿部材８Ｇの第１の係合ピン１０および第２の係合ピン１１とラセン部材６Ｇの螺旋溝７Ｇとの係合を解除するところまでは実施例１と同じであり、つぎに図３４に示すように皿部材８Ｇを第１の係合ピン１０が外筒部材１２の天穴１３を通過できるように皿部材８を第２の係合ピン１１側に傾けることによって（図３４の説明では皿部材８Ｇを左に傾けて）、第１の係合ピン１０と螺旋溝７Ｇとの係合が解除され、そのまま第１の係合ピン１０が天穴１３を通過できる。次に第２の係合ピン１１が天穴１３を通過して皿部材８Ｇを化粧品収納容器１９Ｇより外すことができる。
【００４４】
この実施例８の説明では内筒部材３Ｇにフランジ部の無いものについて説明したが、ラセン部材６Ｇが内筒部材３Ｇより抜け出し防止とするために、内筒部材３Ｇの切り割り溝４の下方部に周溝２６を設け、さらにこの周溝２６と対応する部位の外筒部材２８Ｇに周溝２６と係合する係止突起２７を形成したものとしてある。しかし、フランジ部があるものであっても差しつかえない。また実施例５に示すような内部に螺旋溝７が形成されさらに上端部に天穴１３が形成された外筒部材２８Ｄを使用したものであってもよい。
【産業上の利用可能性】
【００４５】
充填された口紅が不良品であった場合にも口紅がセットされた皿部材だけを外して交換することができ、スティックアイシャドウなどの他の化粧品収納容器にも適用できる。
【図面の簡単な説明】
【００４６】
【図１】発明の化粧品収納容器の断面図である。（実施例１）
【図２】発明の皿部材を最大突出位置にした断面説明図である。（実施例１）
【図３】発明の押上ピンを挿入した状態の断面説明図である。（実施例１）
【図４】発明の断面説明図である。（実施例１）
【図５】発明の断面説明図である。（実施例１）
【図６】発明の内筒部材およびラセン部材の断面図である。（実施例１）
【図７】発明の内筒部材およびラセン部材の斜視図である。（実施例１）
【図８】発明の皿部材の側面図および両側の斜視図である。（実施例１）
【図９】発明の化粧品収納容器の断面図である。（実施例２）
【図１０】発明の皿部材を最大突出位置にした断面説明図である。（実施例２）
【図１１】発明の押上ピンを挿入した状態の断面説明図である。（実施例２）
【図１２】発明の断面説明図である。（実施例２）
【図１３】発明の断面説明図である。（実施例２）
【図１４】発明のラセン部材の断面図である。（実施例２）
【図１５】発明のラセン部材の斜視図である。（実施例２）
【図１６】発明の化粧品収納容器の断面図である。（実施例３）
【図１７】発明のラセン部材の断面図である。（実施例３）
【図１８】発明のラセン部材の斜視図である。（実施例３）
【図１９】発明の化粧品収納容器の断面図である。（実施例４）
【図２０】発明の皿部材の側面図および両側の斜視図である。（実施例４）
【図２１】発明の化粧品収納容器の断面図である。（実施例５）
【図２２】発明の内筒部材および外筒部材の断面図である。（実施例５）
【図２３】発明の外筒部材の断面斜視図である。（実施例５）
【図２４】発明の化粧品収納容器の断面図である。（実施例６）
【図２５】発明の皿部材の断面図である。（実施例６）
【図２６】発明の化粧品収納容器の断面図である。（実施例７）
【図２７】発明の皿部材を最大突出位置にした断面説明図である。（実施例７）
【図２８】発明の押上ピンを挿入した状態の断面説明図である。（実施例７）
【図２９】発明の断面説明図である。（実施例７）
【図３０】発明の皿部材の側面図および両側の斜視図である。（実施例７）
【図３１】発明の化粧品収納容器の断面図である。（実施例８）
【図３２】発明の皿部材を最大突出位置にした断面説明図である。（実施例８）
【図３３】発明の押上ピンを挿入した状態の断面説明図である。（実施例８）
【図３４】発明の断面説明図である。（実施例８）
【図３５】発明の断面説明図である。（実施例８）
【図３６】発明の内筒部材およびラセン部材の断面図である。（実施例８）
【図３７】発明の内筒部材およびラセン部材の斜視図である。（実施例８）
【図３８】発明の皿部材の側面図および両側の斜視図である。（実施例８）
【符号の説明】
【００４７】
１    ハカマ部材
２    蓋嵌合部
３、３Ｆ、３Ｇ    内筒部材
４    切り割り溝
５    フランジ部
６、６Ａ、６Ｂ、６Ｇ    ラセン部材
７、７Ａ、７Ｂ、７Ｇ    螺旋溝
８、８Ｃ、８Ｅ、８Ｆ、８Ｇ    皿部材
９    棒状化粧品
１０    第１の係合ピン
１１    第２の係合ピン
１２、１２Ｆ、１２Ｇ、    外筒部材本体
１３、１３Ｆ    天穴
１４    横溝
１５、１５Ｇ    第１縮径部
１６、１６Ｇ    第２縮径部
１７    蓋
１８    底穴
１９、１９Ａ、１９Ｂ、１９Ｃ、１９Ｄ、１９Ｅ、１９Ｆ、１９Ｇ    化粧品収納容器
２０    押上ピン
２１    第１の振れ止め
２２    第２の振れ止め
２３    印
２４    皿部材本体
２５    保持皿
２６    周溝
２７    係止突起
２８、２８Ａ、２８Ｂ、２８Ｄ、２８Ｆ、２８Ｇ    外筒部材
【図１】
2005224583.tif 000003
【図２】
2005224583.tif 000004
【図３】
2005224583.tif 000005
【図４】
2005224583.tif 000006
【図５】
2005224583.tif 000007
【図６】
2005224583.tif 000008
【図７】
2005224583.tif 000009
【図８】
2005224583.tif 000010
【図９】
2005224583.tif 000011
【図１０】
2005224583.tif 000012
【図１１】
2005224583.tif 000013
【図１２】
2005224583.tif 000014
【図１３】
2005224583.tif 000015
【図１４】
2005224583.tif 000016
【図１５】
2005224583.tif 000017
【図１６】
2005224583.tif 000018
【図１７】
2005224583.tif 000019
【図１８】
2005224583.tif 000020
【図１９】
2005224583.tif 000021
【図２０】
2005224583.tif 000022
【図２１】
2005224583.tif 000023
【図２２】
2005224583.tif 000024
【図２３】
2005224583.tif 000025
【図２４】
2005224583.tif 000026
【図２５】
2005224583.tif 000027
【図２６】
2005224583.tif 000028
【図２７】
2005224583.tif 000029
【図２８】
2005224583.tif 000030
【図２９】
2005224583.tif 000031
【図３０】
2005224583.tif 000032
【図３１】
2005224583.tif 000033
【図３２】
2005224583.tif 000034
【図３３】
2005224583.tif 000035
【図３４】
2005224583.tif 000036
【図３５】
2005224583.tif 000037
【図３６】
2005224583.tif 000038
【図３７】
2005224583.tif 000039
【図３８】
2005224583.tif 000040